(57)【要約】      （修正有）【課題】アクテイブ駆動型表示装置の低消費電力化及び表示画像のコントラスト向上を実現する。【解決手段】ソースが電源線Ｖｐに接続されており、ドレインが電気光学素子である有機ＥＬ素子１０７に接続されているダイオード動作可能なトランジスタＴ４と、ソースがトランジスタＴ４のドレインに接続されており、ドレインが電源線Ｖｏに接続されているトランジスタＴ６とを備え、トランジスタＴ４の閾値補正の際の電流を電源線Ｖｐから電源線Ｖｏに流す様にした。これにより、閾値補正の際の電流が有機ＥＬ素子１０７に流れることを防止する。【選択図】図１
2006078911.tif 000002
【特許請求の範囲】
【請求項１】
それぞれがゲートと２つの端子とを有している第１〜第４及び第６のトランジスタを含む複数のトランジスタと、第１及び第２のコンデンサと、電気光学素子と、データ線と、第１〜３の電源線とを備えて成る画素を備えたアクティブ駆動型表示装置において、
第１のトランジスタの一方の端子がデータ線に接続され、他方の端子が第２のコンデンサの一端に接続されており、
第２のコンデンサの残り一端は、第１のコンデンサの一端、第２のトランジスタの一方の端子、第４のトランジスタのゲート及び第６のトランジスタの一方の端子に接続されており、
第１のコンデンサの残りの一端は、第４のトランジスタの一方の端子に接続されており、
第４のトランジスタの一方の端子は、第１の電源線に接続されており、
第２のトランジスタの他方の端子は、第３のトランジスタの一方の端子及び第４のトランジスタの他方の端子に接続されており、
第３のトランジスタの他方の端子は、電気光学素子の一端に接続されており、電気光学素子の残り一端は第３の電源線に接続されており、
第６のトランジスタの他方の端子は第２の電源線に接続されていることを特徴とするアクティブ駆動型表示装置。
【請求項２】
ゲートと２つの端子とを有している第５のトランジスタをさらに備えており、
第５のトランジスタの一方の端子は、前記第１のトランジスタの他方の端子、第２のコンデンサの一方の端子と接続されており、
第５のトランジスタの他方の端子は、前記第４のトランジスタの一方の端子、前記第１のコンデンサの第２のコンデンサと接続されていない側の一端、及び前記第１の電源線と接続されていることを特徴とする請求項１に記載のアクティブ駆動型表示装置。
【請求項３】
それぞれがゲートと２つの端子とを有している第１〜第４及び第６のトランジスタを含む複数のトランジスタと、第１及び第２のコンデンサと、電気光学素子と、データ線と、第１〜３の電源線とを備えて成る画素を備えたアクティブ駆動型表示装置において、
第１のトランジスタの一方の端子がデータ線に接続され、他方の端子が第２のコンデンサの一端に接続されており、
第２のコンデンサの残り一端は、第１のコンデンサの一端、第２のトランジスタの一方の端子及び第４のトランジスタのゲートに接続されており、
第１のコンデンサの残りの一端は、第４のトランジスタの一方の端子、第３のトランジスタの一方の端子、第６のトランジスタの一方の端子に接続されており、
第４のトランジスタの一方の端子は、第１の電源線、第２のトランジスタの他方の端子に接続されており、
第３のトランジスタの他方の端子は、電気光学素子の一端に接続されており、電気光学素子の残り一端は第３の電源線に接続されており、
第６のトランジスタの他方の端子は第２の電源線に接続されていることを特徴とするアクティブ駆動型表示装置。
【請求項４】
ゲートと２つの端子とを有している第５のトランジスタをさらに備えており、
第５のトランジスタの一方の端子は、前記第１のトランジスタの他方の端子、第２のコンデンサの一方の端子と接続されており、
第５のトランジスタの他方の端子は、第２のトランジスタの他方の端子、第４のトランジスタの一方の端子、及び前記第１の電源線と接続されていることを特徴とする請求項３に記載のアクティブ駆動型表示装置。
【請求項５】
前記複数のトランジスタが、全てＮチャネル型又は全てＰチャンネル型のトランジスタであることを特徴とする請求項１〜４の何れか１項に記載のアクティブ駆動型表示装置。
【請求項６】
前記第２のトランジスタ及び前記第３のトランジスタのゲートが、同じ制御線に接続されていることを特徴とする請求項１〜４の何れか１項に記載のアクティブ駆動型表示装置。
【請求項７】
前記電気光学素子は、有機ＥＬ素子であることを特徴とする請求項１〜６のいずれか１項に記載のアクティブ駆動型表示装置。
【請求項８】
請求項１〜７の何れか１項に記載のアクティブ駆動型表示装置の駆動方法であって、
第６のトランジスタ及び第２のトランジスタをオンして第４のトランジスタに電流を流した後に、第６のトランジスタをオフして第４のトランジスタのゲートに閾値電圧を書き込むことを特徴とするアクティブ駆動型表示装置の駆動方法。
【請求項９】
請求項１〜７の何れか１項に記載のアクティブ駆動型表示装置の駆動方法であって、
第６のトランジスタ及び第２のトランジスタをオンして第４のトランジスタに電流を流した後に、第６のトランジスタをオフして第４のトランジスタのゲートに閾値電圧を書き込み、その後に、第３のトランジスタをオンすることで電気光学素子を動作させることを特徴するアクティブ駆動型表示装置の駆動方法。
【発明の詳細な説明】
【技術分野】
【０００１】
本発明は、電気光学素子を駆動するアクティブ駆動型表示装置及び駆動方法に関し、例えばアクティブ駆動型有機ＥＬ表示装置及びその駆動方法として好適なものである。
【背景技術】
【０００２】
近年、自発光型素子として、有機ＥＬ（Electro Luminescence）素子を用いた表示装置が研究開発されている。これら表示装置のなかでも、アクティブ駆動型有機ＥＬ表示装置は、高輝度化、低消費電力化、大画面化等に適しているという利点があるため、その開発が盛んに行われている。
【０００３】
上述したアクティブ駆動型有機ＥＬ表示装置（以下、適宜「有機ＥＬ表示装置」という。）としては、例えば、有機ＥＬ素子を定電流で駆動する駆動トランジスタの閾値ばらつきを補正し、画素間の輝度差が小さい、均一な表示を可能にすることを目的とした回路構成を備えたものが提案されている（特許文献１参照）。当該特許文献１に開示されている画素回路構成について、図１２と図１３とに基づき、以下、簡単に説明する。
【０００４】
図１２は、特許文献１に開示されている、従来のアクティブ駆動型有機ＥＬ表示装置の回路構成図である。同回路構成図に記載されている符号のうち、５００はアクティブ駆動型有機ＥＬ表示装置の画素部分を、５０１〜５０４はトランジスタを、５０５〜５０６はコンデンサを、５０７は有機ＥＬ素子を、５０８は電源電圧線を、５０９は表示データを入力する表示データ入力線を、５１０はトランジスタ５０５のオンオフを制御する制御線を、５１１はトランジスタ５０３のオンオフを制御する制御線を、５１２はトランジスタ５０１のオンオフを制御する制御線を、それぞれ示している。
【０００５】
図１３は、図１２のアクティブ駆動型有機ＥＬ表示装置の動作を示すタイミングチャートを示している。同タイミングチャートにおいて、Ｄａｔａと示しているＤａｔａ信号は表示データ入力線５０９に入力する信号であり、ＡＺと示しているＡＺ信号は制御線５１０に入力する信号であり、ＡＺＢと示しているＡＺＢ信号は制御線５１１に入力する信号であり、Ｓｅｌｅｃｔと示しているＳｅｌｅｃｔ信号は制御線５１２に入力する信号である。同図に示すように、画素５００の駆動においては、オートゼロ期間とロードデータ期間とを含むアドレス期間と、発光期間とがある。
【０００６】
上記３つの期間のうちオートゼロ期間について先ず説明する。オートゼロ期間は、ハイレベルのＳｅｌｅｃｔ信号をローレベルにすることによって開始する。セレクト信号をローレベルにしてトランジスタ５０１をオンにし、その後にＡＺ信号をローレベルにしてトランジスタ５０４をオンにする。トランジスタ５０４をオンにすることにより、トランジスタ５０２のゲートとドレインとが接続される。このときＤａｔａ信号には、「最高データ電圧」より大きい任意の基準電圧がセットされている。なお、ここで「最高データ電圧」とは、ロードデータ期間中にＤａｔａ信号が出力する最大のレベルの電圧であり、有機ＥＬ素子が発光する輝度が一番暗い状態のＤａｔａ信号のことをいう。
【０００７】
上記のようにＡＺ信号をローレベルにした次に、ＡＺＢ信号をハイレベルにすることでトランジスタ５０３をオフにする。これにより、トランジスタ５０２のゲート電圧は、トランジスタ５０２の閾値電圧にセットされ、また、コンデンサ５０５には基準電圧と閾値電圧との差分の電圧が保持されることとなる。次にＡＺ信号をハイレベルにすることでトランジスタ５０４をオフにし、オートゼロ期間を終了する。
【０００８】
続いて、ロードデータ期間について、以下に説明する。ロードデータ期間は、基準電圧のＤａｔａ信号をデータ電圧に切り替えた時点から開始し、ローレベルのＳｅｌｅｃｔ信号をハイレベルにした時点で終了する。このように、ロードデータ期間中においては、Ｓｅｌｅｃｔ信号がローレベルとなっているから、トランジスタ５０１はオンの状態である。したがって、ロードデータ期間においては、トランジスタ５０１及びコンデンサ５０５を通して、トランジスタ５０２のゲートにデータ電圧が送られる。そして、その後、Ｓｅｌｅｃｔ信号をハイレベルにしてトランジスタ５０１をオフにし、ロードデータ期間を終了する。アクティブ駆動型有機ＥＬ表示装置５００の上記動作により、ロードデータ期間中において、トランジスタ５０２のゲート−ソース間及びコンデンサ５０６の両端には、有機ＥＬ素子に一定電流を流すための電圧がセットされることとなる。
【０００９】
続いて、発光期間について、以下に説明する。発光期間は、ＡＺＢ信号をローレベルにしてトランジスタ５０３をオンにすることによって開始する。また、この時点で、アドレス期間が終了する。トランジスタ５０３をオンにすることによって、トランジスタ５０２のゲート−ソース間にセットされた電圧に応じた一定の電流が有機ＥＬ素子５０７に流れ、有機ＥＬ素子５０７が発光する。この有機ＥＬ素子５０７の発光は、次のアドレス期間の開始まで保持される。
【００１０】
図１３に示すように、ローレベルのＳｅｌｅｃｔ信号をハイレベルにしてからＡＺＢ信号をローレベルにする迄の間に、データ電圧のＤａｔａ信号を基準電圧に切り替える。すなわち、Ｄａｔａ信号の基準電圧への切替えは、ロードデータ期間終了後のアドレス期間においてなされる。
【００１１】
続いて、特許文献２で提案されている他の画素回路構成例について図１４に示す。同図では、図１２と同じ接続関係にある部分に同じ符号を付し、説明を省略することとする。図１４の画素回路は、図１２に示す画素回路の構成にトランジスタ５１３が追加されており、この構成において相異している。特許文献２の当該構成は、表示ムラの改善に対して有効なものである。
【００１２】
すなわち、図１２の画素回路の構成では、トランジスタ５０１をオンして、基準電圧をＤａｔａ線からコンデンサ５０５へ出力するのに対し、図１４の画素回路構成では、トランジスタ５０１をオフしておく一方トランジスタ５１３をオンして、基準電圧をＶＤＤ線からコンデンサ５０５へ出力している。このように、一つの供給経路であるＤａｔａ線を用いて、基準電圧とデータ電圧とを供給するのではなく、これら電圧を別々の供給経路（Ｄａｔａ線とＶＤＤ線）から供給する構成となっている。このため、図１４の画素回路構成により、例えば、大画面化による配線負荷増大や高精細化によるアドレス期間の短縮に際しても、駆動トランジスタの閾値ばらつきを補正するのに十分な補正期間を確保することができる。よって、図１４の画素回路の構成は、スレッショルド電圧に依存した表示ムラ、すなわち、画素回路内のトランジスタ５０２の特性ばらつきにより有機ＥＬ素子５０７の輝度ムラが発生することの抑制に有効なものである。
【特許文献１】特表２００２−５１４３２０（２００２年５月１４日公表）
【特許文献２】特開２００３−１７３１６５（２００３年６月２０日公開）
【発明の開示】
【発明が解決しようとする課題】
【００１３】
しかしながら、上記特許文献２に記載されている従来の技術は、次の問題点を有している。すなわち、図１４に示す画素回路の構成は、有機ＥＬ素子５０７を駆動するトランジスタ５０２の閾値電圧を画素回路ごとに補正するものである。このため、アドレス期間内すなわち有機ＥＬ素子５０７に表示を行わない期間内に、トランジスタ５０３をオンさせて、表示データとは関係のない電流を有機ＥＬ素子５０７に流す必要がある。このような電流を流すことによって有機ＥＬが発光する結果、表示のコントラストを落とすという問題点が生じる。本発明は、この問題点を解決することを目的としている。
【課題を解決するための手段】
【００１４】
本発明は、上記の課題を解決するために、それぞれがゲートと２つの端子とを有している第１〜第４及び第６のトランジスタを含む複数のトランジスタと、第１及び第２のコンデンサと、電気光学素子と、データ線と、第１〜３の電源線とを備えて成る画素を備えたアクティブ駆動型表示装置において、第１のトランジスタの一方の端子がデータ線に接続され、他方の端子が第２のコンデンサの一端に接続されており、第２のコンデンサの残り一端は、第１のコンデンサの一端、第２のトランジスタの一方の端子、第４のトランジスタのゲート及び第６のトランジスタの一方の端子に接続されており、第１のコンデンサの残りの一端は、第４のトランジスタの一方の端子に接続されており、第４のトランジスタの一方の端子は、第１の電源線に接続されており、第２のトランジスタの他方の端子は、第３のトランジスタの一方の端子及び第４のトランジスタの他方の端子に接続されており、第３のトランジスタの他方の端子は、電気光学素子の一端に接続されており、電気光学素子の残り一端は第３の電源線に接続されており、第６のトランジスタの他方の端子は第２の電源線に接続されている構成である。
【００１５】
上記の構成により、電気光学素子に電流を流すことなく、第４のトランジスタの閾値を補正することができるから、アクティブ駆動型表示装置の低消費電力化を実現することが可能である。また、第４のトランジスタの閾値を補正する際に、表示とは関係のない電流が電気光学素子に流れて不必要に発光することを防止できるから、アクティブ駆動型表示装置のコントラストの向上をも実現することができる。
【００１６】
すなわち、上記の構成により、第４のトランジスタの閾値を補正する場合に、第１の電源線から、第４及び第６のトランジスタを介して第２の電源線に電流を流すことができるから、当該閾値補正の際に不要な電流が電気光学素子に流れることを防止できる。
【００１７】
また、本発明のアクティブ駆動型表示装置は、第１のトランジスタと第２のコンデンサとを備えているから、上記のようにして第４のトランジスタの閾値補正をおこなった後に、第４のトランジスタのソース・ゲート間にデータ電圧を書き込むことができる。なお、第１のコンデンサは、第４のトランジスタのソース・ゲート間に書き込んだデータ電圧をホールドするためのものである。
【００１８】
また、各トランジスタにおけるゲートと、ゲート以外の２つの端子（ソース又はドレイン）の一方との間に第２のトランジスタが設けられており、第２のトランジスタのゲート以外の２つの端子が第４のトランジスタのゲートと、ソース又はドレインとの間に接続されているから。第４のトランジスタはダイオード動作をすることができる。なお、ダイオード動作ができるとは、２端子のダイオードと同等の動作を行うことをいう。また、本発明において「接続されている」とは、電気的に接続されていることをいう。
【００１９】
また、本発明のアクティブ駆動型表示装置は、一方の端子が第２のトランジスタの他方の端子に接続されており、他方の端子が電気光学素子の一端に接続されている第３のトランジスタを備えているから、当該第３のトランジスタを制御することによって、前記電気光学素子の発光を制御することができる。
【００２０】
上記本発明のアクティブ駆動型表示装置は、ゲートと２つの端子とを有している第５のトランジスタをさらに備えており、第５のトランジスタの一方の端子は、前記第１のトランジスタの他方の端子、第２のコンデンサの一方の端子と接続されており、第５のトランジスタの他方の端子は、前記第４のトランジスタの一方の端子、前記第１のコンデンサの第２のコンデンサと接続されていない側の一端、及び前記第１の電源線と接続されている構成であっても良い。
【００２１】
上記の構成により、第２及び第６のトランジスタをオンすることによって、第４のトランジスタに電流を流し、その後、第６のトランジスタをオフして第４のトランジスタのゲートに閾値電圧を書き込むことができる。同時に第５のトランジスタをオンすることでＣ２の両端には第１の電源線からの電圧と閾値電圧との差分が充電される。第４のトランジスタのゲートに閾値電圧を書き込んだ後、第２及び第５のトランジスタをオフすると共に第１のトランジスタをオンして、第４のトランジスタのゲートにデータ線が出力した表示データに対応するデータ信号電圧を書き込む。そして、上記のようにして、第４のトランジスタのゲートにデータ信号電圧を書き込んだ後、第１のトランジスタをオフすると共に第３のトランジスタをオンすることにより、電気光学素子を動作させることができる。
【００２２】
本発明のアクティブ駆動型表示装置は、それぞれがゲートと２つの端子とを有している第１〜第４及び第６のトランジスタを含む複数のトランジスタと、第１及び第２のコンデンサと、電気光学素子と、データ線と、第１〜３の電源線とを備えて成る画素を備えたアクティブ駆動型表示装置において、第１のトランジスタの一方の端子がデータ線に接続され、他方の端子が第２のコンデンサの一端に接続されており、第２のコンデンサの残り一端は、第１のコンデンサの一端、第２のトランジスタの一方の端子及び第４のトランジスタのゲートに接続されており、第１のコンデンサの残りの一端は、第４のトランジスタの一方の端子、第３のトランジスタの一方の端子、第６のトランジスタの一方の端子に接続されており、第４のトランジスタの一方の端子は、第１の電源線、第２のトランジスタの他方の端子に接続されており、第３のトランジスタの他方の端子は、電気光学素子の一端に接続されており、電気光学素子の残り一端は第３の電源線に接続されており、第６のトランジスタの他方の端子は第２の電源線に接続されていることを特徴としている。
【００２３】
上記の構成によれば、上記説明した本発明のアクティブ駆動型表示装置と同じ理由により、電気光学素子に電流を流すことなく、第４のトランジスタの閾値を補正することができるから、低消費電力化の実現及びコントラストの向上を実現することができる。
【００２４】
上記本発明のアクティブ駆動型表示装置は、ゲートと２つの端子とを有している第５のトランジスタをさらに備えており、第５のトランジスタの一方の端子は、前記第１のトランジスタの他方の端子、第２のコンデンサの一方の端子と接続されており、第５のトランジスタの他方の端子は、第２のトランジスタの他方の端子、第４のトランジスタの一方の端子、及び前記第１の電源線と接続されている構成であっても良い。
【００２５】
上記の構成によれば、本発明のアクティブ駆動型表示装置であって第５のトランジスタを備えるものと同様にして、電気光学素子を動作させることができる。
【００２６】
本発明のアクティブ駆動型表示装置は、前記複数のトランジスタが、全てＮチャネル型又は全てＰチャンネル型のトランジスタである構成としてもよい。この場合、アモルファスシリコン技術を使ったＴＦＴ形成プロセスを用いて、複数のトランジスタの全てを形成することができるから、低コストで製造できるアクティブ駆動型表示装置を実現することができる。
【００２７】
本発明のアクティブ駆動型表示装置は、前記第２のトランジスタ及び前記第３のトランジスタのゲートが、同じ制御線に接続されている構成としてもよい。これにより、アクティブ駆動型表示装置において、第２、第３のトランジスタのゲートが異なる制御線に接続されている場合に比べて、制御線の数を少なくすることができるから、アクティブ駆動型表示装置の信頼性を向上させることが可能になる。
【００２８】
本発明のアクティブ駆動型表示装置の前記電気光学素子は、有機ＥＬ素子により構成することができる。
【００２９】
本発明のアクティブ駆動型表示装置の駆動方法は、上記した本発明のアクティブ駆動型表示装置の駆動方法であって、第６のトランジスタ及び第２のトランジスタをオンして第４のトランジスタに電流を流した後に、第６のトランジスタをオフして第４のトランジスタのゲートに閾値電圧を書き込む方法である。
【００３０】
上記の方法によれば、第６のトランジスタ及び第２のトランジスタをオンすることによって、第４のトランジスタに閾値電圧を書き込む電流を電気光学素子に流さないで、第６のトランジスタに流すことができる。これによって、アクティブ駆動型表示装置の低消費電力化及びその表示のコントラストの向上が実現できる。
【００３１】
本発明の、アクティブ駆動型表示装置の駆動方法は、上記した本発明のアクティブ駆動型表示装置の駆動方法であって、第６のトランジスタ及び第２のトランジスタをオンして第４のトランジスタに電流を流した後に、第６のトランジスタをオフして第４のトランジスタのゲートに閾値電圧を書き込み、その後に、第３のトランジスタをオンすることで電気光学素子を動作させる方法である。
【００３２】
上記の駆動方法によれば、第６のトランジスタ及び第２のトランジスタをオンすることによって、第４のトランジスタに閾値電圧を書き込む電流を電気光学素子に流さないで、第６のトランジスタに流すことができる。また、第３のトランジスタをオンすることによって、閾値電圧の補正された後の第４のトランジスタによって、電気光学素子の発光を制御することができる。これにより、第４のトランジスタの閾値ムラによる表示ムラの発生を抑制しつつ、アクティブ駆動型表示装置の低消費電力化及びその表示のコントラストを向上させることができる。
【００３３】
なお、電気光学素子の発光を制御するための第４のトランジスタへのデータ信号電圧の書込みは、上記のようにして第４のトランジスタのゲートに閾値電圧を書き込んだ後、第１のトランジスタをオンして、第４のトランジスタのゲートにデータ線が出力した表示データに対応するデータ信号電圧を書き込むこととすればよい。
【発明の効果】
【００３４】
本発明に係るアクティブ駆動型表示装置は、以上のように、第１のトランジスタの一方の端子がデータ線に接続され、他方の端子が第２のコンデンサの一端に接続されており、第２のコンデンサの残り一端は、第１のコンデンサの一端、第２のトランジスタの一方の端子、第４のトランジスタのゲート及び第６のトランジスタの一方の端子に接続されており、第１のコンデンサの残りの一端は、第４のトランジスタの一方の端子に接続されており、第４のトランジスタの一方の端子は、第１の電源線に接続されており、第２のトランジスタの他方の端子は、第３のトランジスタの一方の端子及び第４のトランジスタの他方の端子に接続されており、第３のトランジスタの他方の端子は、電気光学素子の一端に接続されており、電気光学素子の残り一端は第３の電源線に接続されており、第６のトランジスタの他方の端子は第２の電源線に接続された構成、又は、第１のトランジスタの一方の端子がデータ線に接続され、他方の端子が第２のコンデンサの一端に接続されており、第２のコンデンサの残り一端は、第１のコンデンサの一端、第２のトランジスタの一方の端子及び第４のトランジスタのゲートに接続されており、第１のコンデンサの残りの一端は、第４のトランジスタの一方の端子、第３のトランジスタの一方の端子、第６のトランジスタの一方の端子に接続されており、第４のトランジスタの一方の端子は、第１の電源線、第２のトランジスタの他方の端子に接続されており、第３のトランジスタの他方の端子は、電気光学素子の一端に接続されており、電気光学素子の残り一端は第３の電源線に接続されており、第６のトランジスタの他方の端子は第２の電源線に接続された構成である。
【００３５】
このため、第４のトランジスタにおける閾値電圧ばらつきを補正するアドレス期間に、不必要な電流を電気光学素子に直接流す必要がなく、また、アドレス期間における第４のトランジスタには、外部電源である第１及び第２の電源により決められた電流を流すこととなる。これにより、アクティブ駆動型表示装置の低消費電流化を実現することができる。また、上記アドレス期間において、電気光学素子が表示とは関係なく発光することがないため、表示のコントラストを従来よりも向上させることができるという効果を奏する。
【発明を実施するための最良の形態】
【００３６】
〔実施の形態１〕
本発明の一実施形態について図１，図２に基づいて説明すると以下の通りである。図１は、本発明に係るアクティブ駆動型表示装置を構成する、一つの画素回路の一実施形態を示す回路構成図であり、図２は図１の画素回路の動作を示すタイミングチャートである。本実施の形態においては、アクティブ駆動型表示装置の例として、アクティブ駆動型有機ＥＬ表示装置について説明することとする。
【００３７】
図１に示している回路構成の各部分に付されている符号のうち、１００はアクティブ駆動型有機ＥＬ表示装置の画素部分を、Ｔ１〜Ｔ６はトランジスタを、Ｃ１，Ｃ２はコンデンサを、１０７は有機ＥＬ素子を、それぞれ示している。また、同図において、Ｖｐは電源線を、Ｔｊは画素回路にデータ線駆動用回路に接続されたデータ信号（Ｄａｔａ信号）を入力する表示データ入力線を、ＶｏはトランジスタＴ６のドレインに接続された電源線を、ＥｉはトランジスタＴ３のゲートに接続された制御線を、ＧｉはトランジスタＴ２のゲートに接続された制御線を、ＰｉはトランジスタＴ６のゲートに接続された制御線を、ＷｉはトランジスタＴ1のゲートに接続された制御線を、ＲｉはトランジスタＴ５のゲートに接続された制御線を、それぞれ示している。
【００３８】
本実施の形態のアクティブ駆動型表示装置は複数の画素を含んでなっており、各画素の構成は図１に示すとおりである。具体的には、トランジスタＴ１のゲートは制御線Ｗｉに接続されており、トランジスタＴ１のソースは表示データ入力線Ｔｊに接続されており、トランジスタＴ１のドレインは、トランジスタＴ５のドレイン、及びコンデンサＣ２の一端と接続されている。コンデンサＣ２の残り一端、すなわちトランジスタＴ１のドレインと接続されていない一端は、コンデンサＣ１の一端、トランジスタＴ２のドレイン、トランジスタＴ４のゲート及びトランジスタＴ６のソースと接続されている。コンデンサＣ１の残りの一端は、トランジスタＴ４のソース及びトランジスタＴ５のソースに接続されている。トランジスタＴ５のゲートは制御線Ｒｉに接続されており、トランジスタＴ５のソースは、コンデンサＣ１の残り一端すなわちコンデンサＣ２と接続されていない一端、トランジスタＴ４のソース及び電源線（第１の電源線）Ｖｐに接続されている。トランジスタＴ２のゲートは、制御線Ｇｉに接続されており、トランジスタＴ２のソースは、トランジスタＴ４のドレイン、及びトランジスタＴ３のソースに接続されている。トランジスタＴ６のゲートは制御線Ｐｉに接続されており、トランジスタＴ６のソースはトランジスタＴ２のドレインに接続されており、トランジスタＴ６のドレインは電源線（第２の電源線）Ｖｏに接続されている。トランジスタＴ３のゲートは制御線Ｅｉに接続されており、トランジスタＴ３のソースはトランジスタＴ４のドレインに接続されており、トランジスタＴ３のドレインは有機ＥＬ素子（電気光学素子）１０７の一端に接続されており、有機ＥＬ素子１０７の残り一端は、第３の電源線である電源線Ｖｃｏｍに接続されている。
【００３９】
本実施の形態のアクティブ駆動型表示装置の駆動方法、すなわち、図１に示した画素１００の画素回路を動作させる方法を、以下に説明する。
【００４０】
先ず、表示データ入力線Ｔｊには表示データを出力しつつ、トランジスタＴ２，Ｔ５，及びＴ６をオンすることによってトランジスタＴ４に電流を流し、その後トランジスタＴ６をオフしてトランジスタＴ４のゲートに閾値電圧を書き込む。このようにしてトランジスタＴ４のゲートに閾値電圧を書き込んだ後、トランジスタＴ２及びＴ５をオフすると共にトランジスタＴ１をオンして、トランジスタＴ４のゲートに表示データ入力線Ｔｊが出力した表示データに対応するデータ信号電圧を書き込む。そして、上記のようにして、トランジスタＴ４のゲートにデータ信号電圧を書き込んだ後、トランジスタＴ１をオフすると共にトランジスタＴ３をオンする。本実施形態の駆動方法は、以上のようにして、画素１００の画素回路を駆動し、有機ＥＬ素子１０７を動作させるものである。
【００４１】
図２は、図１に示した本実施の形態のアクティブ駆動型表示装置の画素回路の駆動方法を示すタイミングチャートである。同図に示すように、タイミングチャートは、Ｖｔｈ書込期間とデータ書込期間とから成るアドレス期間、及び発光期間から成っている。
【００４２】
同図に×で示すように、表示データ入力線Ｔｊは、アドレス期間の開始から終了までの間に、画素１００に書き込むデータ信号電圧を出力する。なお、同図の×は、ローレベル、ハイレベル、中間レベル等を特に特定しないデータ信号の切り換わりを示している。また、後に説明する図５及び図７についても同様である。
【００４３】
アドレス期間の開始時に、制御線Ｅｉがハイレベルの制御信号を出力することにより、トランジスタＴ３がオフになり、有機ＥＬ素子１０７に電流を流す経路が閉じられる結果、有機ＥＬ素子１０７が非発光状態になる。また、アドレス期間の開始時において、制御線Ｇｉではハイレベルに、制御線Ｒｉではローレベルに、制御線Ｐｉではローレベルに、各々の制御信号を変化させることによってトランジスタＴ２，Ｔ５，及びＴ６をオンする。
【００４４】
ここで、電源線Ｖｏの電圧を、電源線Ｖｐの電圧からトランジスタＴ４の閾値分を減じたものより小さな電圧に設定しておけば、電源線ＶｐからトランジスタＴ４・Ｔ６を通じて電源線Ｖｏへ電流が流れることとなる。すなわち、電源線Ｖｐの電圧＞（電源線Ｖｏの電圧＋トランジスタＴ４の閾値電圧）の関係を満足するようにすれば、オンの状態のトランジスタＴ２によりトランジスタＴ４のゲートとドレインがショートされているから、トランジスタＴ４がダイオード動作となって、電源線Ｖｐの電源からトランジスタＴ４及びＴ６を通じて電源線Ｖｏへ電流が流れる。このとき、制御線Ｗｉの制御信号はローレベルでありトランジスタＴ１はオンされていないから、表示データ入力線Ｔｊのデータ信号電圧は画素１００の回路内部へ伝達されない。
【００４５】
次に、Ｖｔｈ書込期間中おいて、制御線ＰｉをハイレベルにしてトランジスタＴ６をオフとすることにより、電源線ＶｐからトランジスタＴ４及びトランジスタＴ６を介して電源線Ｖｏに流れていた電流を止める。
【００４６】
図３は、本実施の形態のトランジスタＴ４をダイオード動作した場合における、ドレイン・ソース間電圧（Ｖｄｓ）−ドレイン電流（Ｉｄ）特性を示すグラフである。同図に示すように、ドレインに電流が流れているＡ点から、ドレインの電流がゼロになるＢ点にトランジスタＴ４の動作点を移動させることにより、トランジスタＴ４のゲート−ドレイン間に、閾値電圧Ｖｔｈが発生することとなる。
【００４７】
すなわち、本実施の形態においては、トランジスタＴ６をオンさせて、トランジスタＴ４を動作点Ａ（図３）でダイオード動作させている。そして、このようにダイオード動作させた後に、ランジスタＴ６をオフにすることによって、トランジスタＴ４を動作点Ｂに移動させて、トランジスタＴ４の閾値補正を終了する。
【００４８】
ここで、トランジスタＴ６を備えてない従来の回路の場合（図１２、図１４参照）は、トランジスタＴ４の閾値補正を行うために、トランジスタＴ３を通じて、有機ＥＬ素子５０７に電流を一旦流す必要がある。これに対して、本実施の形態のアクティブ駆動型表示装置のように、トランジスタＴ６を備えた構成とすることで、有機ＥＬ素子１０７に電流を流さないでトランジスタＴ４の閾値電圧Ｖｔｈを補正できる。この結果、有機ＥＬ素子１０７に不必要な電流が流れることを抑えて、その消費電力を低くできると共に、有機ＥＬ素子１０７による、表示とは関係のない不必要な発光を抑えて、表示画面（表示画像）のコントラストの向上（ハイコントラスト化）を実現することができる。
【００４９】
本実施の形態のアクティブ駆動型表示装置は、上記のようにして、トランジスタＴ４の閾値電圧Ｖｔｈを補正することができる。上記の補正後のＶｔｈ書込み期間における、コンデンサＣ１及びＣ２の両端電圧は、共に電源線Ｖｐの電圧値Ｖｐ及びＶｐからＴ４の閾値電圧Ｖｔｈの値を差し引いた値Ｖｔ（＝Ｖｐ−Ｖｔｈ）となる。
【００５０】
次に、制御線Ｇｉの制御信号をローレベルに、制御線Ｒｉの制御信号をハイレベルにすることにより、トランジスタＴ２及びトランジスタＴ５をオフにする。この時点で、Ｖｔｈ書込み期間が終了する。
【００５１】
Ｖｔｈ書込み期間の終了と同時に、制御線Ｗｉの制御信号をハイレベルにして、トランジスタＴ１をオンすることで、コンデンサＣ２を通じてＤａｔａ信号を画素１００の回路に入力する。この時点からデータ書込み期間が開始する。トランジスタＴ１をオンすることによって、トランジスタＴ４のゲート信号として、以下の式（１）で示される電圧Ｖｇｓが、画素１００の回路に入力される。
Ｖｇｓ＝（Ｖｐ−Ｖｔ）＋（Ｖｏ−Ｖｄａｔａ）Ｂ  ・・・（１）
ここで、
Ｂ＝Ｃ２／（Ｃ１＋Ｃ２）
ここで、Ｃ１：コンデンサＣ１の容量値、Ｃ２：コンデンサＣ２の容量値である。
また、トランジスタＴ４を流れる電流Ｉｄは、
Ｉｄ＝（１／２）ｕ（Ｃｉｎ）（Ｗ／Ｌ）（Ｖｇｓ−Ｖｔｈ）２のように表されるが、
この式中の（Ｖｇｓ−Ｖｔｈ）に、上記式（１）及びＶｔｈ＝Ｖｐ−Ｖｔを代入することにより、以下の式（２）が得られる。
Ｉｄ＝（１／２）ｕ（Ｃｉｎ）（Ｗ／Ｌ）〔（Ｖｏ−Ｖｄａｔａ）Ｂ〕２  ・・・（２）
ここで、
ｕ：移動度、Ｃｉｎ：トランジスタＴ４のゲート入力容量、Ｗ：トランジスタＴ４のゲート幅、Ｌ：トランジスタＴ４のゲート長、Ｖｄａｔａ：表示データ入力線Ｔｊからのデータ信号電圧の値
上記の式（２）から、トランジスタＴ４を流れる電流Ｉｄは、Ｖｔｈを用いないで表すことができること、すなわちＩｄはトランジスタＴ４の閾値電圧Ｖｔｈに依存しないことが分かる。
【００５２】
アドレス期間の最後に、制御線Ｗｉの制御信号をローレベルにしてトランジスタＴ１をオフし、これと同時に制御線Ｅｉの制御信号をローレベルにすることでトランジスタＴ３がオンする。これにより、電源線Ｖｐの電源より、上記（２）式で示された電流Ｉｄが流れて、有機ＥＬ素子１０７が発光する。すなわち、アドレス期間が終わると同時に、発光期間が開始する。
【００５３】
上述したアドレス期間中における、アクティブ駆動型表示装置の動作により、トランジスタＴ４のゲート−ソース間及びコンデンサＣ１の両端には、有機ＥＬ素子１０７に一定電流を流すための電圧がセットされる。
【００５４】
続いて、発光期間でについて説明する。上記したとおり、トランジスタＴ１をオフすると同時にトランジスタＴ３がオンすることによって発光期間が開始する。トランジスタＴ３をオンにすることによって、トランジスタＴ４のゲート−ソース間にセットされた電圧に応じた一定の電流が有機ＥＬ素子１０７に流れて、有機ＥＬ素子１０７が発光する。この有機ＥＬ素子１０７の発光は、次のアドレス期間が開始するまで保持される。
【００５５】
以上のように、本実施の形態のアクティブ駆動型表示装置は、トランジスタＴ２、トランジスタＴ３及びトランジスタＴ６を備えているから、有機ＥＬ素子１０７を駆動するトランジスタＴ４の閾値電圧Ｖｔｈのばらつき補正を行うアドレス期間において、有機ＥＬ素子１０７に不必要な電流が流れることがない。これに対し、従来のアクティブ駆動型表示装置（図１４参照）では、有機ＥＬ素子５０７を駆動する画素回路内のトランジスタ５０２の閾値特性のばらつきによって、有機ＥＬ素子５０７に輝度ムラが発生することを防止するための十分な補正期間を確保できるものの、トランジスタ５０２の閾値電圧を補正する際に、必然的に表示とは関係の無い電流が有機ＥＬ素子５０７に流れる。このため、従来のアクティブ駆動型表示装置では、消費電力が増加し、表示コントラストが低下するという問題点あったが、本実施の形態のアクティブ駆動型表示装置では、当該問題点が生じることはない。
【００５６】
すなわち、本実施の形態のアクティブ駆動型表示装置は、トランジスタの閾値電圧のばらつきを補正する際に、表示と関係の無い電流を有機ＥＬ素子を直接流す必要がなく、電源線Ｖｐ,Ｖｏの電圧値により決まる電流を画素回路に流すものである。このため、本実施の形態のアクティブ駆動型表示装置は、従来のものよりも低消費電流となる。また、本実施の形態のアクティブ駆動型表示装置は、アドレス期間において、表示データとは関係なく有機ＥＬ素子が発光することが防止されるから、表示画像のコントラストを従来に比して向上させることができる。
【００５７】
なお、本実施の形態では、トランジスタＴ５のソースには電源線Ｖｐを接続しているが、これ以外の電源線に接続する構成としてもよい。また、トランジスタＴ４を除く、トランジスタＴ１，Ｔ２，Ｔ３，Ｔ５，及びＴ６は、何れもスイッチ動作を目的とするものであるため、Ｎチャネル型（Ｎｃｈ型）もしくはＰチャネル型（Ｐｃｈ型）のどちらでもよく、制御信号は用いたトランジスタの極性にあわせて変更すればよい。なお、トランジスタＴ４を除くトランジスタＴ１，Ｔ２，Ｔ３，Ｔ５，及びＴ６を全てＰチャネル型とする場合、アモルファスシリコン技術を使ったＴＦＴ形成プロセスを用いることができるから、低コストでアクティブ駆動型表示装置を提供することができる。
【００５８】
〔実施の形態２〕
本発明の他の一実施形態について図４及び図５に基づいて説明すると以下の通りである。図４は、本実施の形態のアクティブ駆動型表示装置を構成する画素回路について、他の実施形態を示す回路構成図であり、図５は、図４の画素回路の動作を示すタイミングチャートである。本実施の形態のアクティブ駆動型表示装置を構成する画素１２０は、トランジスタＴ１〜Ｔ６の全てをＮチャネル型としている点、トランジスタＴ２及びＴ５のゲートを制御線Ｇｉに接続して共通の制御信号により制御している点において、上述の実施の形態で説明した画素１００（図１参照）とは異なっている。また、図４及び図５では、上記実施形態で説明した部材と作用が同じ部材には同じ符号を付して、説明を省略することとする。
【００５９】
本実施の形態のアクティブ駆動型表示装置における画素１２０の回路構成は、図４に示すとおりである。具体的には、トランジスタＴ１のゲートは制御線Ｗｉに接続されており、トランジスタＴ１のソースは表示データ入力線Ｔｊに接続されており、トランジスタＴ１のドレインは、トランジスタＴ５のソース及びコンデンサＣ２の一端に接続されている。コンデンサＣ２の残り一端、すなわちトランジスタＴ１のドレインと接続されていない一端は、コンデンサＣ１の一端、トランジスタＴ２のソース及びトランジスタＴ４のゲートと接続されている。コンデンサＣ１の残りの一端は、トランジスタＴ４のソース及びトランジスタＴ３のドレインに接続されている。トランジスタＴ５のゲートは制御線Ｇｉに接続されており、トランジスタＴ５のドレインは、トランジスタＴ２のドレイン、トランジスタＴ４のドレイン及び電源線Ｖｐに接続されている。トランジスタＴ２のゲートは、制御線Ｇｉに接続されており、トランジスタＴ２のドレインは、トランジスタＴ４のドレイン、及びトランジスタＴ５のドレインに接続されている。トランジスタＴ６のゲートは制御線Ｐｉに接続されており、トランジスタＴ６のドレインはトランジスタＴ４のソースに接続されており、トランジスタＴ６のソースは電源線Ｖｏに接続されている。トランジスタＴ３のゲートは制御線Ｅｉに接続されており、トランジスタＴ３のドレインはトランジスタＴ４のソースに接続されており、トランジスタＴ３のドレインは有機ＥＬ素子１０７の一端に接続されており、有機ＥＬ素子１０７の残り一端は、第３の電源線Ｖｃｏｍに接続されている。
【００６０】
図４に示す画素１２０を動作させる場合における、画素回路の駆動方法を示すタイミングチャートを図５に示す。本実施の形態では、トランジスタＴ１〜Ｔ６の全てをＮチャネル型としている点以外、画素１２０の動作は画素１００と同じであるため、本実施の形態においては画素回路の駆動方法の説明を省略する。
【００６１】
画素１２０のようにトランジスタＴ１〜Ｔ６の全てをＮチャネル型とすることにより、アモルファスシリコン技術を使ったＴＦＴ形成プロセスを用いることができるから、低コストで製造することができるアクティブ駆動型表示装置を提供することが可能となる。
【００６２】
〔実施の形態３〕
本発明の他の一実施形態について図６，図７に基づいて説明すると以下の通りである。図６は、本発明に係るアクティブ駆動型表示装置を構成する画素回路について、他の実施形態を示す回路構成図であり、図７は、図６の画素回路の動作を示すタイミングチャートである。本実施の形態のアクティブ駆動型表示装置を構成する画素１４０は、トランジスタＴ２，Ｔ３，及びＴ５のゲートを共通の制御線Ｇｉに接続し、これらの制御信号を共通化している点において、画素１００（図１参照）とは異なっている。また、図６及び図７では、上記実施形態で説明した部材と作用が同じ部材には同じ符号を付して、説明を省略することとする。
【００６３】
本実施の形態のアクティブ駆動型表示装置における画素１４０の回路構成は、図６に示すとおりであり、トランジスタＴ２，Ｔ３，及びＴ５のゲートが何れも制御線Ｇｉに接続されている点、及びトランジスタＴ５及びＴ６がｎ型である点において、図１に示す画素１００の構成と異なっている。
【００６４】
図６に示す画素１４０を動作させる場合の、画素回路の駆動方法を示すタイミングチャートを図７に示す。以下では、トランジスタＴ２，Ｔ３，及びＴ５を共通の制御信号により制御するという構成に起因する、画素１００の動作（図２）との相違点についてのみ説明し、同じ説明は省略することとする。
【００６５】
図７に示すように、アドレス期間の開始時に制御線Ｇｉの制御信号をハイレベルに変化させることによって、トランジスタＴ２及びＴ５をオンし、トランジスタＴ３をオフする。これによって、電源線ＶｐからトランジスタＴ４及びＴ６を通じて電源線Ｖｏへ電流が流れる。なお、トランジスタＴ４の閾値電圧の補正については、図２に基づいて上記実施の形態で説明したとおりである。
【００６６】
続いて、制御線Ｇｉの制御信号をローレベルにすることにより、トランジスタＴ２およびＴ５をオフにし、トランジスタＴ３をオンにする。この時点でＶｔｈ書込み期間が終了する。次に、制御線Ｗｉの制御信号をハイレベルにして、トランジスタＴ１をオンすることで、コンデンサＣ２を通じてデータ信号を画素１４０の回路に入力して、データ書込み期間が開始する。本実施の形態のアクティブ駆動型表示装置の画素１４０では、データ書込期間においてトランジスタＴ３がオンとなっているため、トランジスタＴ４にデータ信号が書き込まれると同時に、有機ＥＬ素子１０７に電流が流れて、データ書込み期間内において有機ＥＬ素子１０７が発光する。制御線Ｗｉの制御信号をローレベルにしてトランジスタＴ１をオフすることにより、アドレス期間が終了し、データ信号が書き込まれることなく、発光状態を保持する発光期間が開始する。
【００６７】
以上のように、本実施の形態のアクティブ駆動型表示装置は、画素のトランジスタを制御する制御線の数が、図１に示す画素１００よりも少ないから、低コストで製造することができるアクティブ駆動型表示装置の提供が可能となる。また、制御線の数を少なくすることにより、画素の開口率が上がり、有機ＥＬ素子の発光輝度を下げることができるため、アクティブ駆動型表示装置の信頼性が向上することになる。
【００６８】
〔実施の形態４〕
本発明の他の一実施形態について図８及び図９に基づいて説明すると以下の通りである。図８は、本実施の形態に係るアクティブ駆動型表示装置の画素回路について、他の実施形態を示す回路構成図であり、図９は、図８の画素回路の動作を示すタイミングチャートである。
【００６９】
本実施の形態の画素１６０は、トランジスタＴ５を備えていない点、トランジスタＴ２がＰチャネル型である点において、上述した実施の形態において説明した画素１００（図１参照）とは異なっている、従来技術との比較においては、画素１６０は、図１２にトランジスタＴ６を追加した構成に相当する。また、図８及び図９では、上記実施形態で説明した部材と作用が同じ部材には同じ符号を付して、説明を省略することとする。
【００７０】
図８に示す画素１６０を動作させる場合の、画素回路の駆動方法を示すタイミングチャートを図９に示す。画素１６０の動作は、図１２に示した従来のアクティブ駆動型表示装置とほぼ同じであるが、トランジスタＴ３をアドレス期間においてオンさせる代わりにトランジスタＴ６をオンさせることにより、有機ＥＬ素子１０７に電流を流さないようにしている点が異なっている。
【００７１】
図９に示すタイミングチャートは、Ｖｔｈ書込期間とデータ書込期間とからなるアドレス期間、及び発光期間から成っている。先ず、Ｖｔｈ書込期間について、以下に説明する。制御線Ｐｉ、制御線Ｇｉ及び制御線Ｗｉの制御信号により、トランジスタＴ６、トランジスタＴ２、及びトランジスタＴ１をオンすることにより、Ｖｔｈ書込期間（アドレス期間）を開始する。その後に制御線Ｐｉの制御信号をハイレベルにして、トランジスタＴ６をオフにする。トランジスタＴ２をオンすることにより、トランジスタＴ４のゲートとドレインとが接続されることとなる。このとき表示データ入力線Ｔｊには、最高データ電圧より大きい任意の基準電圧がセットされている。なお、ここで「最高データ電圧」とは、データ書込期間中にデータ信号が出力する最大のレベルのことをいい、有機ＥＬ素子１０７が発光する輝度が一番暗い（最も暗い）状態となるデータ信号のことをいう。
【００７２】
上記のように制御線Ｐｉの制御信号をハイレベルにした次に、制御線Ｇｉをハイレベルにすることで、トランジスタＴ２をオフにし、トランジスタＴ４のゲートとドレインとの接続を終えて、トランジスタＴ４の閾値電圧Ｖｔｈを書き込み、Ｖｔｈ書込期間を終了する。また、トランジスタＴ２をオフにしてから、制御線ＷｉをローレベルにしてトランジスタＴ１をオフ、トランジスタＴ３をオンとする迄の期間（データ書込期間）に、表示データ入力線Ｔｊは、画素１６０にデータ信号電圧を出力する。これにより、トランジスタＴ４のゲート−ソース間及びコンデンサＣ１には、有機ＥＬ素子１０７に一定電流を流すための電圧がセットされる。
【００７３】
発光期間は、制御線ＷｉをローレベルにしてトランジスタＴ１をオフ、トランジスタＴ３をオンとした時点から開始し、トランジスタＴ４のゲート−ソース間にセットされた電圧に応じた一定の電流が有機ＥＬ素子１０７に流れ、有機ＥＬ素子１０７が発光する。この有機ＥＬ素子１０７の発光は、次のアドレス期間の開始まで保持される。
【００７４】
以上のように、本実施の形態のアクティブ駆動型表示装置は、トランジスタＴ６を備えているから、アドレス期間を通じてトランジスタＴ３をオフとすることができる。このため、有機ＥＬ素子１０７に表示とは関係の電流が流れることを防止して、従来のアクティブ駆動型表示装置と比較して、低消費電力化、及び表示コントラストの向上を実現することができる。
【００７５】
また、上述した図１に示す画素１００の回路と比較して、トランジスタ数が少ないので、アクティブ駆動型表示装置のパネル製造時の不良が低減し、低コストのアクティブ駆動型表示装置を提供することができる。また、少ない数のトランジスタ数で回路を構成することによって各画素の開口率が上がるから、有機ＥＬ素子の発光輝度を下げることができ、アクティブ駆動型表示装置の信頼性が向上する。
【００７６】
〔実施の形態５〕
本発明の他の一実施形態について図１０及び図１１に基づいて説明すると以下の通りである。図１０は、本実施の形態のアクティブ駆動型表示装置を構成する画素回路の他の実施形態を示す回路構成図であり、図１１は、図１０の画素回路の動作を示すタイミングチャートである。本実施の形態の画素１８０は、トランジスタＴ１〜４，及びＴ６の全てをＮチャネル型としている点、トランジスタＴ３をトランジスタＴ１とは別の制御線Ｗｉに接続している点において、画素１６０（図８参照）と異なっている。また、図１０及び図１１では、上記実施形態で説明した部材と作用が同じ部材には同じ符号を付して、説明を省略することとする。
【００７７】
本実施の形態のアクティブ駆動型表示装置における画素１８０の回路構成は、図１０に示すとおりである。具体的には、トランジスタＴ１のゲートは制御線Ｗｉに接続されており、トランジスタＴ１のソースは表示データ入力線Ｔｊに接続されており、トランジスタＴ１のドレインは、コンデンサＣ２の一端に接続されている。コンデンサＣ２の残り一端、すなわちトランジスタＴ１のドレインと接続されていない一端は、コンデンサＣ１の一端、トランジスタＴ２のソース、及びトランジスタＴ４のゲートと接続されている。コンデンサＣ１の残りの一端は、トランジスタＴ４のソースに接続されている。トランジスタＴ２のゲートは、制御線Ｇｉに接続されており、トランジスタＴ２のドレインは、トランジスタＴ４のドレインに接続されている。トランジスタＴ６のゲートは制御線Ｐｉに接続されており、トランジスタＴ６のドレインはトランジスタＴ４のソースに接続されており、トランジスタＴ６のソースは電源線Ｖｏに接続されている。トランジスタＴ３のゲートは制御線Ｅｉに接続されており、トランジスタＴ３のドレインはトランジスタＴ４のソースに接続されており、トランジスタＴ３のソースは有機ＥＬ素子１０７の一端に接続されており、有機ＥＬ素子１０７の残り一端は、第３の電源線Ｖｃｏｍに接続されている。
【００７８】
図１０に示す画素１８０を動作させる場合における、画素回路の駆動方法を示すタイミングチャートを図１１に示す。本実施の形態では、トランジスタＴ１〜Ｔ６の全てをＮチャネル型としている点以外、画素１８０の動作は画素１６０と同じであるため、本実施の形態においては画素回路の駆動方法の説明を省略する。
【００７９】
画素１８０のように、トランジスタＴ１〜Ｔ６として全てＮチャネル型のものを用いることにより、アモルファスシリコン技術を使ったＴＦＴ形成プロセスを用いることができるから、低コストで製造することができるアクティブ駆動型表示装置を提供することが可能となる。
【００８０】
また、トランジスタＴ１〜Ｔ６として全てＰチャネル型のものを用いることとしてもよく、この場合も、同様に、アモルファスシリコン技術を使ったＴＦＴ形成プロセスを用いることができるから、低コストで製造することができるアクティブ駆動型表示装置を提供することが可能となる。
【００８１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８２】
本発明は、低消費電力化及びコントラストの向上を実現することができる、アクティブ駆動型表示装置及び駆動方法に関するものであり、例えばアクティブ駆動型有機ＥＬ表示装置及びその駆動方法に用いることができる。
【図面の簡単な説明】
【００８３】
【図１】本発明に係るアクティブ駆動型表示装置における１画素回路の一実施形態を示す回路構成図である。
【図２】図１の画素回路の駆動方法を示すタイミングチャートである。
【図３】トランジスタをダイオード動作したときの、ドレイン・ソース間電圧（Ｖｄｓ）とドレイン電流（Ｉｄ）との関係を示すグラフである。
【図４】本発明に係るアクティブ駆動型表示装置における１画素回路の別の一実施形態を示す回路構成図である。
【図５】図４の画素回路の駆動方法を示すタイミングチャートである。
【図６】本発明に係るアクティブ駆動型表示装置における１画素回路の別の一実施形態を示す回路構成図である。
【図７】図６の画素回路の駆動方法を示すタイミングチャートである。
【図８】本発明に係るアクティブ駆動型表示装置における１画素回路の別の一実施形態を示す回路構成図である。
【図９】図８の画素回路の駆動方法を示すタイミングチャートである。
【図１０】本発明に係るアクティブ駆動型表示装置における１画素回路の別の一実施形態を示す回路構成図である。
【図１１】図１０の画素回路の駆動方法を示すタイミングチャートである。
【図１２】従来のアクティブ駆動型有機ＥＬ表示装置の回路構成図である。
【図１３】図１２のアクティブ駆動型有機ＥＬ表示装置の動作を示すタイミングチャートである。
【図１４】従来の他のアクティブ駆動型有機ＥＬ表示装置の回路構成図である。
【符号の説明】
【００８４】
Ｔ１    トランジスタ（第１のトランジスタ）
Ｔ２    トランジスタ（第２のトランジスタ）
Ｔ３    トランジスタ（第３のトランジスタ）
Ｔ４    トランジスタ（第４のトランジスタ）
Ｔ５    トランジスタ（第５のトランジスタ）
Ｔ６    トランジスタ（第６のトランジスタ）
Ｃ１    コンデンサ（第１のコンデンサ）
Ｃ２    コンデンサ（第２のコンデンサ）
Ｖｐ    電源線（第１の電源線）
Ｖｏ    電源線（第２の電源線）
Ｖｃｏｍ  電源線（第３の電源線）
Ｗｉ、Ｅｉ、Ｇｉ、Ｐｉ、Ｒｉ    制御線
Ｔｊ    表示データ入力線（データ線）
１００，１２０，１４０，１６０，１８０，２００  画素
１０７  有機ＥＬ素子（電気光学素子）
【図１】
2006078911.tif 000003
【図２】
2006078911.tif 000004
【図３】
2006078911.tif 000005
【図４】
2006078911.tif 000006
【図５】
2006078911.tif 000007
【図６】
2006078911.tif 000008
【図７】
2006078911.tif 000009
【図８】
2006078911.tif 000010
【図９】
2006078911.tif 000011
【図１０】
2006078911.tif 000012
【図１１】
2006078911.tif 000013
【図１２】
2006078911.tif 000014
【図１３】
2006078911.tif 000015
【図１４】
2006078911.tif 000016